(57)【特許請求の範囲】
【請求項１】
表裏に亘って貫通する開口部を有する板状の基板と、該基板の一方の面に掌を沿わせて手に装着した際に、前記開口部が指股部又は指股部近傍に配置されるように手を位置決めさせる位置決め手段とを備える、感覚剤含有マッサージ剤とともに使用する感覚剤含有マッサージ剤用マッサージ具。
【請求項２】
前記開口部は、掌からはみ出ない大きさに形成されている請求項１記載の感覚剤含有マッサージ剤用マッサージ具。
【請求項３】
前記開口部は、最大でも人指し指、中指、及び薬指の第１関節から親指の付け根までの大きさである請求項１又は２記載の感覚剤含有マッサージ剤用マッサージ具。
【請求項４】
前記開口部は、開口面積が２〜２４ｃｍ2である請求項１〜３の何れか１項記載の感覚剤含有マッサージ剤用マッサージ具。
【請求項５】
前記開口部は、前記基板の中央領域に存在する請求項１〜４の何れか１項記載の感覚剤含有マッサージ剤用マッサージ具。
【請求項６】
前記基板の周縁部が、周縁肉厚部となっている請求項１〜５の何れか１項記載の感覚剤含有マッサージ剤用マッサージ具。
【請求項７】
前記周縁肉厚部の最大厚みが、前記基板の平板部分に対して１．１〜３倍の厚さとなっている請求項６記載の感覚剤含有マッサージ剤用マッサージ具。
【請求項８】
前記基板が、掌サイズの大きさを備える請求項１〜７の何れか１項記載の感覚剤含有マッサージ剤用マッサージ具。
【請求項９】
前記基板が、縦幅が１００〜１６０ｍｍ、横幅が６５〜１０５ｍｍの大きさ及び縦長の平面形状を備える請求項１〜８の何れか１項記載の感覚剤含有マッサージ剤用マッサージ具。
【請求項１０】
前記基板の一方の面に、リブが設けられている請求項１〜９の何れか１項記載の感覚剤含有マッサージ剤用マッサージ具。
【請求項１１】
前記基板の他方の面に、２０ｍｍ以下の高さで複数の突起が分散配置されている請求項１〜１０の何れか１項記載の感覚剤含有マッサージ剤用マッサージ具。
【請求項１２】
前記複数の突起が円柱状であり、該突起の先端に当該先端の外周部との間にリング状凹溝を介在させて中央小突起がさらに突出する、２重の突起構造を備えている請求項１１記載の感覚剤含有マッサージ剤用マッサージ具。
【請求項１３】
前記位置決め手段は、前記開口部の近傍部分において前記基板の一方の面から突出して設けられた指股挟込み把持部からなり、該指股挟込み把持部を指股部によって挟み込むことで、前記開口部が指股部又は指股部近傍に配置される請求項１〜１２の何れか１項記載の感覚剤含有マッサージ剤用マッサージ具。
【請求項１４】
前記開口部が、前記指股挟込み把持部に回り込む形状である請求項１３記載の感覚剤含有マッサージ剤用マッサージ具。
【請求項１５】
前記指股挟込み把持部が、扁平な縦長の断面形状を備える板状部分を有する請求項１３又は１４記載の感覚剤含有マッサージ剤用マッサージ具。
【請求項１６】
前記基板の先端外周縁部に、凹凸形状の縁取り部が形成されている請求項１〜１５の何れか１項記載の感覚剤含有マッサージ剤用マッサージ具。
【請求項１７】
前記基板の少なくとも一方側の側縁部に、凹状にくぼんだくびれ部が形成されている請求項１〜１６の何れか１項記載の感覚剤含有マッサージ剤用マッサージ具。
【発明の詳細な説明】
【技術分野】
【０００１】
本発明は、感覚剤含有マッサージ剤とともに使用する感覚剤含有マッサージ剤用マッサージ具に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
これらのマッサージ方法は、掌や指先で行われることが多いが、さらに効果的にマッサージを行えるようにすることを目的として、種々のマッサージ具やブラシが開発されている（例えば、特許文献１、特許文献２、特許文献３参照）。
【０００４】
特許文献１のマッサージ具は、少なくとも片手で把持可能な横幅をその短手方向に持った平面略縦長形状の基部を、縦横自在に弾性変形可能な可撓性プレートとして形成し、略球面状先端を持つ複数の突起を、所定の配列をもってこの基部の片面上に一体的に立設することによって、この突起の縦横自在な傾動を確保可能とするとともに、この基部を、その平面上の長手方向で少なくとも２領域に区分し、この２領域のうちの一方に配された突起の高さを、他方の領域に配された突起より高く形成したものである。特許文献２の頭皮頭髪用ブラシは、ブラシ台の表面にブリッスルが設けられたブラシ部を２つ有し、その２つのブラシ部は結合されており、一方の手の指の腹側をブラシ部に対向させたときに、他方のブラシ部がその手の甲側に位置した状態でブラシをその手に保持できる手段を備えていることを特徴とするものである。特許文献３の洗髪・ボディ兼用ブラシは、柔らかい材質のブラシ本体１と硬い材質のブラシ本体２と連結させる柄３で構成されるものである。
【先行技術文献】
【特許文献】
【０００５】
【特許文献１】実用新案登録第３０７６８７８号公報
【特許文献２】特開２００９−１８９６４０号公報
【特許文献３】実用新案登録第３０９８０１１号公報
【発明の概要】
【発明が解決しようとする課題】
【０００６】
一方、近年、例えばバスルームやシャワールームにおいて入浴時やシャワー時に使用される、マッサージジェルやマッサージオイル等のマッサージ剤が種々上市されている。これらのマッサージ剤は、容器から掌にとって、例えば身体の各部位に撫で付けたり擦り付けたり揉み付けたりすることで、マッサージを行ないながら身体の皮膚に沿って塗り広げて用いられる。また、好ましくは塗り広げた後に必要に応じてシャワー水で洗い流すことにより、マッサージ剤に含まれる各種の成分によって、例えばすっきりとした心地よさや、体温を保持する保温効果や、肌をしっとりとさせる保湿効果等が得られることになる。
【０００７】
特に、冷感剤や温感剤や温熱感剤等の感覚剤成分が含有されているマッサージ剤の場合、これらの感覚剤含有マッサージ剤による冷感や温感や温熱感等を、肩や首筋等のマッサージ対象部位のみならず、掌においても実感しながらマッサージを行うことが実効感を向上させるうえで望ましい。しかしながら、マッサージ具を用いたマッサージでは、掌にマッサージ剤が付着する頻度が低下してしまうため掌での感覚剤の実感が困難である。加えて、一般に掌は、肩や首筋等の身体の他の部位と比較して、感覚剤成分による冷感や温感や温熱感等を感じ難い部分である。従って、感覚剤含有マッサージ剤による冷感や温感や温熱感等の効果を、掌においても実感しながらマッサージ具を用いてマッサージを行うには工夫が必要である。
【０００８】
本発明は、掌にとったり身体に塗布した感覚剤含有マッサージ剤を、マッサージ具を用いてマッサージを行いながら身体の皮膚に沿って容易に且つスムーズに塗り広げてゆくことができると共に、感覚剤成分による冷感や温感や温熱感等を、掌においても実感しながらマッサージ具を用いてマッサージを行うことのできる感覚剤含有マッサージ剤用マッサージ具を提供することを目的とする。
【課題を解決するための手段】
【０００９】
本願発明者らは、掌は、肩や首筋等の身体の他の部位と比較して、感覚剤成分による冷感や温感や温熱感等を感じ難い部分である一方で、例えば人差し指と中指との間の指股部や中指と薬指との間の指股部は、特にこれらの付け根部において感覚剤成分による冷感や温感や温熱感等を感じ易い部分であることを知見した。この知見に基づいて、本願発明者らは、マッサージ剤を指股部に積極的に誘導させる構成を備えることで、感覚剤成分による冷感や温感や温熱感等を掌にて実感しながらマッサージを行うことができる感覚剤含有マッサージ剤用マッサージ具を提供するに至った。
【００１０】
すなわち、本発明は、開口部を有する板状の基板と、該基板の一方の面に掌を沿わせて手に装着した際に、前記開口部が指股部又は指股部近傍に配置されるように手を位置決めさせる位置決め手段とを備える、感覚剤含有マッサージ剤とともに使用する感覚剤含有マッサージ剤用マッサージ具を提供することにより、上記目的を達成したものである。
【発明の効果】
【００１１】
本発明の感覚剤含有マッサージ剤用マッサージ具によれば、掌にとったり身体に塗布した感覚剤含有マッサージ剤を、マッサージ具を用いてマッサージを行いながら身体の皮膚に沿って容易に且つスムーズに塗り広げてゆくことができる。加えて、掌の中で最も感覚剤成分による温感や冷感や温熱等を感じやすい指股部分にてマッサージ剤を実感することが可能であるため、感覚剤成分による冷感や温感や温熱感等を効率的に掌にて実感しながらマッサージを行うことができる。更に、マッサージ剤が開口部を介して掌側と身体側との間を行き来することで、掌の感覚で容易にマッサージ剤を、適切な部位に適切な量を調整して塗り広げることができる。
【図面の簡単な説明】
【００１２】
【図１】本発明の好ましい一実施形態に係る感覚剤含有マッサージ剤用マッサージ具を手に装着した状態で示す斜視図である。
【図２】本発明の好ましい一実施形態に係る感覚剤含有マッサージ剤用マッサージ具の側面図である。
【図３】本発明の好ましい一実施形態に係る感覚剤含有マッサージ剤用マッサージ具の図２を右側から見た正面図である。
【図４】図２のＡ−Ａに沿った端面図である。
【図５】本発明の好ましい一実施形態に係る感覚剤含有マッサージ剤用マッサージ具の底面図である。
【図６】本発明の好ましい一実施形態に係る感覚剤含有マッサージ剤用マッサージ具の上面図である。
【図７】（ａ）〜（ｄ）は、位置決め手段の他の形態を例示する感覚剤含有マッサージ剤用マッサージ具の上面図である。
【発明を実施するための形態】
【００１３】
図１に示す本発明の好ましい一実施形態に係る感覚剤含有マッサージ剤用マッサージ具１０は、例えば感覚剤含有マッサージ剤をとった掌に基板１１を沿わせて手に装着した状態で、身体の四肢やその他の部位に撫で付けたり、擦り付けたり、揉み付けたりすることで、冷感剤や温感剤や温熱感剤等の感覚剤成分が含有されている感覚剤含有マッサージ剤を身体の皮膚に沿ってスムーズに塗り広げながら、身体のマッサージを行えるようにする機能を備える。また、本実施形態の感覚剤含有マッサージ剤用マッサージ具１０は、感覚剤成分による冷感や温感や温熱感等をマッサージ具の装着された掌にて実感しながらマッサージを行えるようにする機能を備える。更に、本実施形態の感覚剤含有マッサージ剤用マッサージ具１０は、マッサージ剤が開口部１４を介して掌側と身体側との間を行き来することで、掌の感覚で容易にマッサージ剤を、適切な部位に適切な量を調整して塗り広げる機能を備える。
【００１４】
そして、本実施形態の感覚剤含有マッサージ剤用マッサージ具１０は、感覚剤含有マッサージ剤とともに使用するマッサージ具であって、図２〜図６にも示すように、開口部１４を有する板状の基板１１と、この基板の一方の面１１ａに掌を沿わせて手に装着した際に、開口部１４が指股部又は指股部近傍に配置されるように手を位置決めさせる位置決め手段１５とを備える。
【００１５】
また、本実施形態では、基板１１は、掌サイズの大きさ及び形状を備えている。また、本実施形態では、開口部１４は、掌からはみ出ない大きさに形成されている。
【００１６】
さらに、本実施形態では、位置決め手段１５は、開口部１４の近傍部分において基板１１の一方の面１１ａから突出して設けられた指股挟込み把持部１２からなり、好ましくは人差し指と中指との間の指股部によって指股挟込み把持部１２を挟み込むことで、開口部１４が指股部又は指股部近傍に配置されるようになっている。位置決め手段１５が指股挟込み把持部１２であることにより、指股が広げられるため、感覚剤含有マッサージ剤が指股部の付け根まで良好に行き渡り、これによって感覚剤を手の指股部にてより効果的に実感することが可能となる。
【００１７】
さらに、本実施形態では、指股挟込み把持部１２が、扁平な縦長の断面形状を備える板状部分１６を有する（図２〜図４参照）。ここにおいて、縦長とは、扁平な断面形状の長手方向を縦方向とし、その長さが横方向の長さより長いことを言う。
【００１８】
さらにまた、本実施形態では、基板１１の他方の面１１ｂに、感覚剤含有マッサージ剤が指股部の付け根まで良好に行き渡ることを阻害しない程度に低い高さとして、具体的には２０ｍｍ程度以下の高さの複数の突起１３が分散配置されている。
【００１９】
ここで、感覚剤含有マッサージ剤に含有される感覚剤のうち、例えば冷感剤としては、ｌ−メントール、３−ｌ−メントキシプロパン−１，２−ジオール等のメントール誘導体、カンファー、チモール等を挙げることができる。例えば温感剤としては、カプサイシン、ノニル酸バニリルアミド、ニコチン酸ベンジル、バニリルブチルエーテル、ショウガオール、ジンゲロール、ジンゲロン等を挙げることができる。例えば水との水和反応で水和熱を発生する水和熱発生基材としては、１，３−ブタンジオール、エチレングリコール、プロピレングリコール、グリセリン、ジグリセリン、トリグリセリン、ポリグリセリン、ジエチレングリコール、ジプロピレングリコール、ジエチレングリコールモノアルキルエーテル、ポリエチレングリコール、ポリプロピレングリコール、ポリエチレングリコール・ポリプロピレングリコール、等を挙げることができる。
【００２０】
感覚剤含有マッサージ剤中の感覚剤の含有量は、好ましくは冷感剤や温感剤では０．００１〜３質量％であり、さらに好ましくは０．００２〜０．５質量％である。水和熱発生基材では８５〜１００質量％であり、さらに好ましくは９０〜９９質量％である。本発明のマッサージ具１０であれば、開口部１４が指股部又は指股部近傍に配置されるため、指股部にて感覚剤成分による冷感や温感や温熱感等をより効果的に実感することが可能となる。
【００２１】
本実施形態では、マッサージ具１０は、手の握力により変形可能な弾性樹脂として、例えばスチレン樹脂、ポリエステル樹脂、オレフィン樹脂、ウレタン樹脂等のエラストマー樹脂や、合成ゴム等を用いて、好ましくは基板１１と、指股挟込み把持部１２と、複数の突起１３とを一体成形することにより形成されている。これによって基板１１は、手の握力によって変形可能な柔軟な弾性樹脂からなる。基板１１が、手の握力によって変形可能な柔軟な弾性樹脂からなっていることにより、基板１１に形成された開口部１４と相俟って、基板１１を掌や掌の指の動きに合わせてスムーズに弾性変形させることが可能になるのみならず、掌にとった感覚剤含有マッサージ剤が掌から外側にはみ出ることを防止して開口部１４へ移動しやすくなる。
【００２２】
ここで、基板１１を構成する弾性樹脂は、手の握力によって容易に弾性変形できる程度の弾力性を備える弾性樹脂であり、硬度（ショアＡ硬度、株式会社テクロック製のゴム硬度計（ＧＳ７０９Ｎ  形式Ａ）ＡＳＴＭ  Ｄ２２４０Ａ  ０−１００（ショアＡ硬度）に準拠して測定された数値）が３０〜８０の物性を備える弾性材料であることが好ましい。また、基板１１を構成する弾性樹脂は、同硬度が３５〜７５の弾力性を備えていることが好ましく、４０〜７０の弾力性を備えていることが更に好ましい。
【００２３】
本実施形態では、基板１１は、好ましくは成人女性の掌に略収まり手の握力により変形し得る程度の、いわゆる掌サイズの大きさ及び形状として、例えば縦幅が１００〜１６０ｍｍの大きさ、好ましくは１０５〜１５５ｍｍの大きさ、更に好ましくは１１０〜１５０ｍｍの大きさであり、横幅が６５〜１０５ｍｍの大きさ、好ましくは７０〜１００ｍｍの大きさ、更に好ましくは７５〜９５ｍｍの大きさであるうち縦長の平面形状を備えるように形成される。基板１１が、掌に略収まる程度の掌サイズの大きさ及び形状を備えていることにより、掌にとったマッサージ剤が、掌に沿うようにして開口部１４に移動しやすくなる。また、基板１１は、好ましくは周縁部が周縁肉厚部２０（図５参照）となった、例えば１〜６ｍｍの厚さ、好ましくは１．５〜４ｍｍの厚さ、更に好ましくは２〜３ｍｍの厚さの平板形状に形成される。なお、周縁肉厚部２０の幅は、２〜８ｍｍが好ましく、更に好ましくは３〜６ｍｍであり、殊更好ましくは３．５〜４．５ｍｍである。周縁肉厚部２０の最大厚みは、基板１１の平板部分の厚みに対して、１．１〜３倍の厚さ、好ましくは１．２〜２．５倍の厚さ、殊更好ましくは１．３〜２倍の厚さである。このような周縁肉厚部２０の幅や厚みであると、補強の点や、使い心地の点や、弾性変形の点で好ましいのみならず、掌にとった感覚剤含有マッサージ剤が掌から外側にはみ出ることを防止して開口部１４へ移動しやすくなる。
【００２４】
基板１１には、位置決め手段１５としての指股挟込み把持部１２を好ましくは人指し指と中指との間の指股部に挟み込んで、当該基板１１を掌に沿わせて感覚剤含有マッサージ剤用マッサージ具１０を手に装着した際に、当該基板１１の縦長方向の手首側に配置される後端外周縁部１１ｃに、円弧形状の縁取り部が形成されていると共に、人さし指や中指や薬指の先端部が配置される先端外周縁部１１ｄに、凹凸形状の縁取り部が形成されている。この凹凸は、隣り合う凹部の間の長さが１５〜３０ｍｍであることが好ましい。基板１１の先端外周縁部１１ｄにこのような凹凸形状の縁取り部が形成されていることにより、例えば軽擦法や強擦法や揉捏法によるマッサージを行う際に、人さし指や中指や薬指を、マッサージを行う部位に添えやすくなり、その結果、より確実に開口部１４が指股部又は指股部近傍に配置される。これによって感覚剤を手の指股部にて実感するようになると共に、マッサージ剤が開口部を介して掌側と身体側との間を行き来することで、掌の感覚で容易にマッサージ剤を、適切な部位に適切な量で塗り広げることができる。更に、基板１１の先端外周縁部１１ｄに凹凸形状の縁取り部が形成されていることにより、マッサージを行う際に、人さし指や中指や薬指を、マッサージを行う部位に適度に間隔を開けて添えやすくなるため感覚剤含有マッサージ剤が指股の付け根まで良好に行き渡り、これによって感覚剤を手の指股部にてより効果的に実感することが可能となる。
【００２５】
また、基板１１には、位置決め手段１５としての指股挟込み把持部１２を好ましくは人指し指と中指との間の指股部に挟み込んで、当該基板１１の一方の面１１aに掌に沿わせて感覚剤含有マッサージ剤用マッサージ具１０を手に装着した際に、親指及び小指に沿って配置される当該基板１１の少なくとも一方側の側縁部１１ｅに、凹状にくぼんだくびれ部が形成されている。基板１１の少なくとも一方側の側縁部１１ｅに凹状にくぼんだくびれ部が形成されていることにより、例えば軽擦法や強擦法や揉捏法によるマッサージを行う際に、親指や小指を、マッサージを行う部位に添えやすくなり、その結果、より確実に開口部１４が指股部又は指股部近傍に配置される。これによって感覚剤を手の指股部にて実感するようになると共に、マッサージ剤が開口部を介して掌側と身体側との間を行き来することで、掌の感覚で容易にマッサージ剤を、適切な部位に適切な量を塗り広げることができる。特に好ましくは、基板１１の両側の側縁部１１ｅに、凹状にくぼんだくびれ部が各々形成されている。基板１１の両側の側縁部１１ｅに、凹状にくぼんだくびれ部が各々形成されていることにより、例えば揉捏法によるマッサージを行う際に、マッサージを行う身体の所定の部位に親指及び小指を添えやすくなり、その結果、より確実に開口部１４が指股部又は指股部近傍に配置される。これによって感覚剤を手の指股部にて実感するようになると共に、マッサージ剤が開口部を介して掌側と身体側との間を行き来することで、掌の感覚で容易にマッサージ剤を、適切な部位に適切な量で塗り広げることができる。
【００２６】
本実施形態では、指股挟込み把持部１２の近傍に、当該基板１１を表裏に亘って貫通する開口部１４が形成されている。指股挟込み把持部１２の近傍に開口部１４が形成されていることにより、掌にとった感覚剤含有マッサージ剤が、掌に沿うようにして開口部１４に移動しやすくなる。開口部１４は、基板１１の中央領域に形成されていると好ましく、特に、指股挟込み把持部１２に回り込む形状が好ましい。中でも、指股挟込み把持部１２の側面の少なくとも一方に延びた形状が好ましく、具体的には例えば略ハート形状や略凹形状や略ビーンズ形状を備えていることが、屈曲性の点と、掌にとった感覚剤含有マッサージ剤が指股部へ良好に入り込み、感覚剤の感覚を効率的に掌にて実感しながらマッサージを行うことができる点で好ましい。開口部１４は、点状の孔や線状のスリットとは異なり、縦横に相当の大きさの開口幅を有する開口穴として形成されている。開口部１４が上述のような形態にて形成されていることにより、当該開口部１４を中心として、扁平な縦長の断面形状を備える指股挟込み把持部１２の縦長方向と垂直又は略垂直に交差する方向のみならず、指股挟込み把持部１２の縦長方向と交差する任意の方向を屈曲谷線Ｘ（図１参照）の方向として、基板１１を屈曲させることが可能となる。その結果、例えば揉捏法によるマッサージを行う際に、種々の立体形状を備える身体の各部位の形状に沿わせて基板１１を屈曲させながら、揉捏法によるマッサージをさらに効果的に行うことが可能になる。加えて、掌にとった感覚剤含有マッサージ剤が、掌に沿うようにして開口部１４に移動しやすくなる。開口部１４は、本実施形態では、基板１１の中央領域に形成されており、且つ略ハート形状を備えている。
【００２７】
また、本実施形態では、開口部１４は、当該開口部１４を２等分割する線分に沿った断面において、当該開口部１４の開口幅が基板１１の幅に対して２０〜７０％の幅となるように基板１１に形成されていることが好ましい。開口部１４の開口幅が基板１１の幅に対して２０〜７０％の幅となっていることにより、掌にとったり身体に塗布したマッサージ剤を、マッサージを行いながら身体の皮膚に沿って容易に且つスムーズに塗り広げてゆくことができると共に、感覚剤成分による冷感や温感や温熱感等を手に実感しながらマッサージを行うことが可能になる。開口部１４の開口幅が基板１１の幅に対して上述のとおりの適切な大きさであれば、開口部１４が形成されていない部分の幅を相当程度確保して、基板１１の曲げに対する剛性が小さくなり過ぎることでマッサージ中に基板が１１がよれてしまったり、掌にとった感覚剤含有マッサージ剤が掌からはみ出てしまうといった不具合が生じるのを効果的に回避することが可能になる。また、基板１１の曲げに対する剛性を充分に確保できることから、掌にとった感覚剤含有マッサージ剤が開口部１４に移動しづらくなるとった不具合が生じることもなく好ましい。
【００２８】
さらに、本実施形態では、開口部１４は、開口面積が２〜２４ｃｍ2であることが好ましい。開口面積が２〜２４ｃｍ2となるように開口部１４が形成されていることにより、掌にとったり身体に塗布した感覚剤含有マッサージ剤を、マッサージを行いながら身体の皮膚に沿って容易に且つスムーズに塗り広げてゆくことができると共に、感覚剤成分による冷感や温感や温熱感等を掌にて実感しながらマッサージを行うことが可能になる。開口部１４の開口面積が上述のとおりの適切な大きさであれば、基板１１の変形に対する剛性が小さくなり過ぎることでマッサージ中に基板１１がよれてしまったり、掌にとった感覚剤含有マッサージ剤が掌からはみ出てしまうといった不具合が生じるのを効果的に回避することが可能になる。また、掌にとった感覚剤含有マッサージ剤を開口部１４を通して身体に塗りのばす際に、感覚剤含有マッサージ剤が掌で拡散してしまい感覚剤成分による冷感や温感や温熱感等を実感しにくくなるといった不具合が生じることもなく好ましい。
【００２９】
さらに、本実施形態では、開口部１４は、開口面積が基板面積の２〜２５％であることが好ましい。開口面積が基板面積の２〜２５％であることにより、掌にとったり身体に塗布した感覚剤含有マッサージ剤を、マッサージを行いながら身体の皮膚に沿って容易に且つスムーズに塗り広げてゆくことができると共に、感覚剤成分による冷感や温感や温熱感等を掌にて実感しながらマッサージを行うことが可能になる。開口部１４の開口面積が上述のとおりの適切な大きさであれば、基板１１の変形に対する剛性が小さくなり過ぎることでマッサージ中に基板１１がよれてしまったり、掌にとった感覚剤含有マッサージ剤が掌からはみ出てしまうといった不具合が生じるのを効果的に回避することが可能になる。また、掌にとった感覚剤含有マッサージ剤を開口部１４を通して身体に塗りのばす際に、感覚剤含有マッサージ剤が掌で拡散してしまい感覚剤成分による冷感や温感や温熱感等を実感しにくくなるといった不具合が生じることもなく好ましい。
【００３０】
また、本実施形態では、開口部１４は、掌からはみ出ない大きさに形成されている。さらに、本実施形態では、開口部１４は、最大でも人指し指、中指、及び薬指の第１関節から親指の付け根までの大きさである。
【００３１】
開口部１４が掌からはみ出ない大きさに形成されていることにより、マッサージ剤が開口部１４を介して掌側と身体側との間を行き来することで、掌の感覚でさらに容易にマッサージ剤を、適切な部位に適切な量で塗り広げることができる。加えて、掌にとった感覚剤含有マッサージ剤が、掌に沿うようにして開口部１４に移動することが可能になる。また、開口部１４が最大でも人指し指、中指、及び薬指の第１関節から親指の付け根までの大きさであることにより、より確実に開口部１４が指股部又は指股部近傍に配置されるため、感覚剤を手の指股部にてより効果的に実感することが可能になる。
【００３２】
本実施形態では、基板１１の指股挟込み把持部１２が起立する一方の面１１ａに、滑止めの機能を奏する表面リブ１７が設けられている。本実施形態では、表面リブ１７は、扁平な縦長の断面形状を備える指股挟込み把持部１２の縦長方向と垂直な方向に延設する線状リブとして、基板１１の一方の面１１ａの略全域に亘って、指股挟込み把持部１２の縦長方向に所定の間隔をおいて複数本平行に配置されて設けられている。基板１１の一方の面１１ａに滑止めの機能を奏する表面リブ１７が設けられていることにより、例えば揉捏法によるマッサージを行う際に、より滑りにくくなることから、掌の面１１ａに対するフィット性が向上し、揉捏法によるマッサージをさらに効果的に行うことが可能になる。その結果、より確実に開口部１４が指股部又は指股部近傍に配置されるため、感覚剤を手の指股部にてより効果的に実感するようになると共に、マッサージ剤が開口部を介して掌側と身体側との間を行き来することで、掌の感覚でさらに容易にマッサージ剤を、適切な部位に適切な量で塗り広げることができる。加えて、掌にとった感覚剤含有マッサージ剤が、掌に沿うようにして開口部１４に移動しやすくなる。
【００３３】
基板１１の一方の面に起立して設けられた指股挟込み把持部１２は、本実施形態では、扁平な縦長の断面形状を備える板状部分１６を有している。指股挟込み把持部１２が、扁平な縦長の断面形状を備える板状部分１６を有していることにより、当該指股挟込み把持部１２を、例えば、人指し指と中指との間の指股部に添わせるようにして挟み込むことが可能になって、マッサージ具１０をより安定した状態で手に装着させることが可能になる。その結果、より確実に開口部１４が指股部又は指股部近傍に配置されるため、感覚剤を手の指股部にてより効果的に実感するようになると共に、マッサージ剤が開口部を介して掌側と身体側との間を行き来することで、掌の感覚でさらに容易にマッサージ剤を、適切な部位に適切な量で塗り広げることができる。なお、扁平な縦長の断面形状を備える板状部分１６の断面形状の横幅は、２〜１４ｍｍが好ましい。このような幅にすることにより、指股が適度に広げられるため、感覚剤含有マッサージ剤が指股部の付け根まで良好に行き渡り、これによって感覚剤を手の指股部にてより効果的に実感することが可能となる。
【００３４】
また板状部分１６を有している指股挟込み把持部１２は、開口部１４が回り込む形状になっていると好ましい。すなわち、本実施形態では、指股挟込み把持部１２は、扁平な縦長の断面形状における基板１１の後端縁部１１ｃ側の基端部１２ａを、基板１１の中央領域に形成された開口部１４の略ハート形状のくびれ部分に近接配置して設けられている。また指股挟込み把持部１２は、基板１１の中央領域から先端外周縁部１１ｄに向けて、好ましくは人さし指と中指との間の指股部の付根からこれらの指の第１関節に到る長さよりも短い長さで延設して、開口部１４よりも基板１１の先端外周縁部１１ｄ側の領域に設けられている。指股挟込み把持部１２に、開口部１４が回り込む形状になっていることにより、具体的には、本実施形態では、指股挟込み把持部１２の基板１１の後端外周縁部１１ｃ側の基端部１２ａが、開口部１４に近接して配置されることにより、揉捏法によるマッサージを行う際に、基板１１を容易に屈曲させることができるので、揉捏法によるマッサージを効果的に行うことが可能になる。板状部分１６を有している指股挟込み把持部１２が、人さし指と中指との間の指股部の付根からこれらの指の第１関節に到る長さよりも短い長さで延設して設けられていることにより、これらの指を第１関節の部分で下方に折り曲げやすくなって、掌にとった感覚剤含有マッサージ剤が、掌に沿うようにして開口部１４に移動しやすくなる。
【００３５】
さらに、本実施形態では、板状部分１６を有している指股挟込み把持部１２の側面１２ｂが、図４に示すように、内方向凹状に形成されている。すなわち、板状部分１６を有している指股挟込み把持部１２の側面１２ｂは、好ましくは板状部分１６の縦長方向の中央部分で、横幅が最大横幅の９０％〜４０％に狭められた、特に好ましくは緩やかに湾曲する凹状に形成されている。指股挟込み把持部１２の側面１２ｂが内方向凹状となっていることにより、例えば、指股挟込み把持部１２を人指し指と中指との間の指股部に挟み込んで、当該基板１１を掌に沿わせてマッサージ具１０を手に装着する際に、人差し指と中指の第２関節の出っ張り部分が側面１２ｂの凹状部分にフィットすることで、より確実に開口部１４が指股部又は指股部近傍に配置されるため、感覚剤を手の指股部にてより効果的に実感するようになると共に、マッサージ剤が開口部を介して掌側と身体側との間を行き来することで、掌の感覚でさらに容易にマッサージ剤を、適切な部位に適切な量で塗り広げることができる。
【００３６】
さらにまた、本実施形態では、板状部分１６を有している指股挟込み把持部１２の側面１２ｂに、図２及び図４に示すように、滑止めの機能を奏する側面リブ１８が設けられている。本実施形態では、側面リブ１８は、基板１１と垂直な縦方向に延設する線状リブとして、横方向に所定の間隔をおいて複数本平行に配置されて設けられている。指股挟込み把持部１２の側面に、滑止めの機能を奏する側面リブ１８が設けられていることにより、より滑りにくくなることから、指股挟込み把持部１２に対する人差し指と中指の保持性が向上するので、より安定した状態でマッサージを行えるようにすることが可能になる。その結果、より確実に開口部１４が指股部又は指股部近傍に配置されるため、感覚剤を手の指股部にてより効果的に実感するようになると共に、マッサージ剤が開口部を介して掌側と身体側との間を行き来することで、掌の感覚でさらに容易にマッサージ剤を、適切な部位に適切な量で塗り広げることができる。
【００３７】
本実施形態では、図２及び図３に示すように、指股挟込み把持部１２の上端部から外方に張り出して、指掛けつば部１９が設けられている。指掛けつば部１９が設けられていることにより、例えば、指股挟込み把持部１２を人指し指と中指との間の指股部に挟み込んで、当該基板１１を掌に沿わせてマッサージ具１０を手に装着して行なう身体の各部位へのマッサージ中に、人さし指及び中指の背側を当該指掛けつば部１９に係止させることが可能になる。これによって、例えば基板１１を曲折変形させながら揉捏法によるマッサージを行う際に、指股部が指股挟込み把持部１２から抜け出ないようにして、より安定した状態でマッサージを行えるようにすることが可能になる。その結果、より確実に開口部１４が指股部又は指股部近傍に配置されるため、感覚剤を手の指股部にてより効果的に実感するようになると共に、マッサージ剤が開口部を介して掌側と身体側との間を行き来することで、掌の感覚でさらに容易にマッサージ剤を、適切な部位に適切な量で塗り広げることができる。指股挟込み把持部１２の高さ、すなわち、指股挟込み把持部１２の基端部１２ａから指掛けつば部１９のつば下までの高さは、例えば、指股挟込み把持部１２を人指し指と中指との間の指股部に挟み込んで、当該基板１１を掌に沿わせてマッサージ具１０を手に装着した際に、フィット性を向上させると共に保持性を向上させる点から、略指の太さに等しいことが好ましく、具体的には１８〜２４ｍｍが好ましく、更に好ましくは１９〜２３ｍｍであり、殊更好ましくは２０〜２２ｍｍである。これによって、より安定した状態で良好にマッサージを行うことが可能になり、また感覚剤を手の指股部にてより確実に実感することが可能になる。
【００３８】
基板１１の他方の面１１ｂから突出して設けられた複数の突起１３は、図１及び図５にも示すように、本実施形態では、基板１１の他方の面１１ｂの全体に亘って略均等に分散配置されると共に、基板１１の他方の面１１ｂから、好ましくは２０ｍｍ以下の高さ、更に好ましくは３〜２０ｍｍの高さ、また更に好ましくは４〜１８ｍｍの高さ、殊更好ましくは５〜１５ｍｍの高さで突出して設けられている。これらの突起１３は、身体のツボを刺激したり、皮膚を刺激したり、皮膚を圧迫（指圧）したり、毛穴を刺激したりする機能を備える。これらの突起１３が上述の高さで突出していることにより、掌にとった感覚剤含有マッサージ剤が、掌からはみ出ることが防止され開口部１４へ移動しやすくなるのみならず、手の指股部に移動しやすいため、より効果的に感覚剤の感覚を指股部にて実感するようになる。
【００３９】
また、本実施形態では、突起１３は、各々、先端側に向って徐々に縮径する略円柱形状を備える。また突起１３は、その略円柱形状の円柱状突起の先端に、当該先端の外周部との間にリング状凹溝１３ａを介在させて中央小突起１３ｂがさらに突出する、２重の突起構造を備えている。突起１２が先端に２重の突起構造を備えていることにより、掌にとった感覚剤含有マッサージ剤が、掌からはみ出ることが防止され開口部１４へ移動しやすくなるのみならず、手の指股部に移動しやすいため、より効果的に感覚剤の感覚を指股部にて実感するようになる。
【００４０】
さらに、本実施形態では、突起１３は、指股挟込み把持部１２を人差し指と中指との間の指股部で挟み込んで基板１１を掌に沿わせて手に装着した際に、基板１１の他方の面１１ｂに分散配置された複数の突起１３のうちの少なくとも１つ以上が、人指し指又は中指と重なって配置されるようになっている。このように配置されることにより、指の圧力が直接突起１３に伝わり、揉捏法によるマッサージを行う際に、肌をしっかりととらえ、より安定した状態でマッサージを行えるようにすることが可能になるのみならず、掌にとった感覚剤含有マッサージ剤が、掌からはみ出ることが防止され開口部１４へ移動しやすくなる。
【００４１】
なお、本実施形態では、円弧形状に縁取りされた基板１１の後端外周縁部１１ｃから斜め側方に突出して、係止輪部２１が設けられている。係止輪部２１は、基板１１と一体成形されて設けられていることが好ましい。係止輪部２１を例えば係止突起に係止することで、マッサージ具１０を使用しない時に、当該マッサージ具１０を壁や収納部に簡易に納めておくことが可能になる。
【００４２】
そして、上述の構成を備える本実施形態の感覚剤含有マッサージ剤用マッサージ具１０によれば、掌にとったり身体に塗布した感覚剤含有マッサージ剤を、マッサージを行いながら身体の皮膚に沿って容易に且つスムーズに塗り広げてゆくことが可能になると共に、感覚剤成分による冷感や温感や温熱感等を、手に実感しながらマッサージを行うことが可能になる。
【００４３】
すなわち、本実施形態の感覚剤含有マッサージ剤用マッサージ具１０は、開口部１４を有する板状の基板１１と、開口部１４が指股部又は指股部近傍に配置されるように手を位置決めさせる、指股挟込み把持部１２による位置決め手段１５とを備えている。これによって、例えばバスルームやシャワールームにおいて、例えば感覚剤含有マッサージ剤を掌にとった手に当該マッサージ具１０を装着した状態で、湯や水で濡れた身体に、好ましくは突起１３が分散配置された基板１１の他方の面１１ｂを接触させて、当該基板１１の他方の面１１ｂによって肌を撫でたり擦ったり揉んだりしながら皮膚に沿って基板１１を移動させてゆけば、基板１１に形成された相当の開口面積を有する開口部１４を流通開口として、掌にとった感覚剤含有マッサージ剤を身体の肌の側に流出させたり、肌に付着した湯や水を掌側に流入させたりしながら、水分と混ざり合った感覚剤含有マッサージ剤を、マッサージ中の基板１１の移動に伴って、身体の皮膚に沿って効率良く且つ効果的に塗り広げてゆくことが可能になる。
【００４４】
また、上述にようにして感覚剤含有マッサージ剤を掌にとった手に感覚剤含有マッサージ剤用マッサージ具１０を装着して、或いは、感覚剤含有マッサージ剤用マッサージ具１０を装着した手の掌部分に感覚剤含有マッサージ剤を取った状態で、感覚剤含有マッサージ剤を塗り広げながらマッサージを行う際に、好ましくは人さし指と中指との間の指股部の付根部分が、位置決め手段１５としての指股挟込み把持部１２によって、開口部１４や開口部１４の近傍に配置されることになるので、流通開口としての開口部１４を介して、指股部の特に付根部分に感覚剤含有マッサージ剤を積極的に誘導させて接触させることが可能になって、感覚剤成分による冷感や温感や温熱感等を手に実感しながらマッサージを行うことが可能になる。
【００４５】
さらに、例えば感覚剤含有マッサージ剤を身体に予め塗布した後に、手に感覚剤含有マッサージ剤用マッサージ具１０を装着して、身体の皮膚に沿って移動させながらマッサージを行う場合でも、身体に予め塗布された感覚剤含有マッサージ剤を、流通開口としての開口部１４を介して指股部に誘導させて、感覚剤成分による冷感や温感や温熱感等を手に実感しながら、感覚剤含有マッサージ剤を肌に塗り広げつつマッサージを行うことが可能になる。
【００４６】
なお、本発明は上記実施形態に限定されることなく種々の変更が可能である。例えば、開口部は、基板の中央領域に形成されていたり、略ハート形状を備えている必要は必ずしも無い。開口部は、縦横に相当の大きさの開口幅を有する、その他の種々の開口形状を備えていても良く、複数個の開口部の集合であっても良い。また、基板の肌当て面となる他方の面に、複数の突起が分散配置されている必要は必ずしもなく、基板の他方の面は、平坦な面やリブの形成された面であっても良い。
【００４７】
さらに、位置決め手段は、基板の一方の面から突出して設けられた扁平な板状の指股挟込み把持部である必要は必ずしもなく、開口部が指股部又は指股部近傍に配置されるように手を位置決めさせることが可能な、その他の種々の位置決め手段を採用することもできる。例えば図７（ａ）〜（ｄ）に示すように、好ましくは中指と薬指との間の指股部によって挟みこむ、略円柱形状の指股挟込み把持部（図７（ａ）参照）や、基板の一方の面に設けられた、当該基板の一方の面との間に指を挿入させることで指股部を配置させることが可能な、バンド（図７（ｂ）参照）、スリットバンド（図７（ｃ）参照）、カバー（図７（ｄ）参照）等を、位置決め手段として採用することもできる。
【符号の説明】
【００４８】
１０  マッサージ具
１１  基板
１１ａ  一方の面
１１ｂ  他方の面
１１ｃ  後端外周縁部
１１ｄ  先端外周縁部
１１ｅ  側縁部
１２  指股挟込み把持部
１２ａ  指股挟込み把持部の基板の後端縁部側の基端部
１２ｂ  指股挟込み把持部の側面
１３  突起
１３ａ  リング状凹溝
１３ｂ  中央小突起
１４  開口部
１５  位置決め手段
１６  板状部分
１７  表面リブ
１８  側面リブ
１９  指掛けつば部
２０  周縁肉厚部
Ｘ    屈曲谷線
【図１】
0005845077.tif 000002
【図２】
0005845077.tif 000003
【図３】
0005845077.tif 000004
【図４】
0005845077.tif 000005
【図５】
0005845077.tif 000006
【図６】
0005845077.tif 000007
【図７】
0005845077.tif 000008